(57)【要約】      （修正有）【課題】内部に水を注入しなくても、確実に回収された吸殻が消火され、かつ煙が外部に漏れ出すことを防止すると共に火災発生の恐れが無い吸殻回収箱を備えた吸殻自動回収装置を提供する【解決手段】遊技機の前面下部に設けられたテーブルの上面部に、上記テーブルの長さ方向に沿って所定間隔をもって配設けられた灰皿用孔部と、上記テーブルの下面に、上記テーブルの長さ方向に沿って配設され、上記灰皿用孔部から落下する吸殻を搬送しうる、筒状に形成された吸殻搬送部と、上記搬送部によって搬送された吸殻を回収する、着脱可能に配設された吸殻回収箱１４とを有する吸殻回収装置であって、上記吸殻回収箱の内面に複数の煙遮断用板部１８ａ、１８ｂ、１８ｃが配設された構成とする。【選択図】図３
0003140283.tif 000002
【実用新案登録請求の範囲】
【請求項１】
遊技機の前面下部に、上記遊技機の幅方向に沿って設けられたテーブルの上面部に、上記テーブルの長さ方向に沿って所定間隔をもって配設された灰皿と、上記テーブルの下面部に、上記テーブルの長さ方向に沿って配設され、上記灰皿に設けられた孔部から落下する吸殻を搬送しうる、筒状に形成された吸殻搬送部と、上記吸殻搬送部によって搬送された吸殻を回収する、着脱可能に配設された吸殻回収箱とを有する吸殻回収装置であって、
上記吸殻回収箱内には、内方へ互いに突出する複数の煙遮断用板部が高さ方向に沿って交互に設けられていることを特徴とする吸殻回収装置。
【請求項２】
上記吸殻回収箱は、所定の高さ寸法を有して全体略直方体に形成された回収箱本体と、上記回収箱本体の内方上半部に着脱可能に内装される煙遮断部とを備え、上記煙遮断部は全体略直方体形状に形成され、長さ方向側面板部と幅方向側面板部とを有し、上記煙遮断用板部は、上記一方の幅方向側面板部から対向する他方の幅方向側面部へ向かって突出して配設されていることを特徴とする請求項１記載の吸殻回収装置。
【請求項３】
上記煙遮断板部は、上記煙遮断部の幅方向側面板部の長さ寸法と同一の長さ寸法を有していることを特徴とする請求項１または２記載の吸殻回収装置。
【請求項４】
上記煙遮断板部は、幅方向側面板部に対して所定角度下方へ向かって配設されていることを特徴とする請求項１〜３いずれか１項記載の吸殻回収装置。
【請求項５】
上記煙遮断用板部は、長さ方向断面において上方に向かって膨出する円弧状に湾曲して形成されていることを特徴とする請求項１〜４いずれか１項記載の吸殻回収装置。
【請求項６】
上記煙遮断用板部は、長さ方向断面において下方に向かって膨出する円弧状に湾曲して形成されていることを特徴とする請求項１〜４いずれか１項記載の吸殻回収装置。
【請求項７】
上記煙遮断用板部の内、最上位に位置する煙遮断用板部は、長さ方向断面において上方に向かって膨出する円弧状に湾曲して形成されると共に、他の煙遮断用板部は、長さ方向断面において下方に向かって膨出する円弧状に湾曲して形成されていることを特徴とする請求項１〜４いずれか１項記載の吸殻回収装置。
【請求項８】
上記煙遮断用板部は、上記煙遮断部の内方において一方の幅方向側面板部に２枚配設されると共に、他方の幅方向側面板部に１枚配設されていることを特徴とする請求項１〜７いずれか１項記載の吸殻回収装置。
【請求項９】
上記吸殻回収箱の内部に二酸化炭素ガスが注入されていることを特徴とする請求項１〜８いずれか１項記載の吸殻回収装置。
【請求項１０】
上記吸殻回収箱本体の一方の幅方向側面板部には、透明樹脂製の窓部が設けられていることを特徴とする請求項１〜９いずれか１項記載の吸殻回収装置。
【考案の詳細な説明】
【技術分野】
【０００１】
本考案は、吸殻回収装置に係り、特に遊技機前面部のテーブルの下面部に装着され、テーブル上面部に設けられた灰皿から落下する吸殻を自動的に回収する吸殻回収装置に関する。
【背景技術】
【０００２】
パチンコ機等の遊技機の前面下部に上記遊戯機の幅方向に沿って設けられたテーブルの下面部に装着され、上記テーブル上面部に設けられた灰皿から落下する吸殻を自動的に搬送して回収する吸殻回収装置は、従来から提案されていた。
【０００３】
図１に示す通り、従来の吸殻回収装置は、遊技機１１の集合体である島１０として構成され、互いに隣接して設置される複数の遊技機１１全体の幅方向全域に沿って夫々の前面部に設けられたテーブル１２の下方に配設され、テーブル上の灰皿１２ａから落下した吸殻を搬送する吸殻搬送手段を備えた筒状の吸殻搬送部１３と、この吸殻搬送部１３の一端部に設けられ、搬送された吸殻を回収する吸殻回収箱７０とから構成されている。
【０００４】
上記吸殻回収装置によって回収された吸殻は、完全に消火されていないことが多く、吸殻回収箱７０内において、吸殻が燃焼し続けることで煙が発生し外部に漏れ出すことで悪臭を発する上、火災の原因ともなりうる。
従って、図５に示すとおり上記吸殻回収箱７０の内部に、予め消火用の水７１を注入しておくことで、確実な消火を促して煙の発生や火災事故を防止していた。
【０００５】
しかしながら、上記の吸殻回収装置にあっては、吸殻回収箱内に溜まった吸殻を廃棄する場合、吸殻が水分を吸収しているため非常に重くなるという不具合を有していた。
また煙草が水分により破れて細かく分解してしまうため、廃棄の際に上記吸殻回収箱内壁に煙草が付着し、洗浄と清掃に大きな手間がかかるという不具合をも有していた。
また、煙草の成分が水に溶け出すことによって、長時間放置した場合に悪臭が発生するという不具合をも有していた。
【考案の開示】
【考案が解決しようとする課題】
【０００６】
そこで本考案の技術的課題は、吸殻回収箱の内部に水を注入しなくても、確実に吸殻が消火され、かつ煙が外部に漏れ出すことを防止すると共に、火災発生を防止できる吸殻回収箱を備えた吸殻自動回収装置を提供することにある。
【課題を解決するための手段】
【０００７】
上記課題を解決するために、請求項１記載の考案にあっては、遊技機の前面下部に、上記遊技機の幅方向に沿って設けられたテーブルの上面部に、上記テーブルの長さ方向に沿って所定間隔をもって配設された灰皿と、上記テーブルの下面部に、上記テーブルの長さ方向に沿って配設され、上記灰皿に設けられた孔部から落下する吸殻を搬送しうる、筒状に形成された吸殻搬送部と、上記吸殻搬送部によって搬送された吸殻を回収する、着脱可能に配設された吸殻回収箱とを有する吸殻回収装置であって、上記吸殻回収箱内には、内方へ互いに突出する複数の煙遮断用板部が高さ方向に沿って交互に設けられていることを特徴とする。
【０００８】
従って、上記煙遮断用板部によって吸殻から発生する煙が外部に漏れ出すことを遮断すると共に、外気と吸殻回収箱内部とを遮断する。
【０００９】
また、請求項２記載の考案にあっては、上記吸殻回収箱は、所定の高さ寸法を有して全体略直方体に形成された回収箱本体と、上記回収箱本体の内方上半部に着脱可能に内装される煙遮断部とを備え、上記煙遮断部は全体略直方体形状に形成され、長さ方向側面板部と幅方向側面板部とを有し、上記煙遮断用板部は、上記一方の幅方向側面板部から対向する他方の幅方向側面部へ向かって突出して配設されていることを特徴とする。
【００１０】
従って、煙遮断部を取り外すことで、溜められた吸殻が廃棄しすくなる。
【００１１】
また、請求項３記載の考案にあっては、上記煙遮断板部は、上記煙遮断部の幅方向側面板部の長さ寸法と同一の長さ寸法を有していることを特徴とする。
【００１２】
従って、上記煙遮断部内に煙が漏れ出す隙間が生じることがない。
【００１３】
また、請求項４記載の考案にあっては、上記煙遮断板部は、幅方向側面板部に対して所定角度下方へ向かって配設されていることを特徴とする。
【００１４】
従って、吸殻搬送部によって搬送された吸殻が上記煙遮断板部上に滞留せずに速やかに落下する。
【００１５】
また、請求項５記載の考案にあっては、上記煙遮断用板部は、長さ方向断面において上方に向かって膨出する円弧状に湾曲して形成されていることを特徴とする。
また、請求項６記載の考案にあっては、上記煙遮断用板部は、長さ方向断面において下方に向かって膨出する円弧状に湾曲して形成されていることを特徴とする。
また、請求項７記載の考案にあっては、上記煙遮断用板部の内、最上部に位置する煙遮断用板部は、長さ方向断面において上方に向かって膨出する円弧状に湾曲して形成されると共に、他の煙遮断用板部は、長さ方向断面において下方に向かって膨出する円弧状に湾曲して形成されている。
【００１６】
従って、吸殻搬送部によって搬送された吸殻が上記煙遮断用板部の湾曲にそって滑り易く、速やかに落下する。
【００１７】
また、請求項８記載の考案にあっては、上記煙遮断用板部は、上記煙遮断部の内方において一方の幅方向側面板部に２枚配設されると共に、他方の幅方向側面板部に１枚配設されていることを特徴とする。
【００１８】
また、請求項９に記載された考案にあっては、上記吸殻回収箱の内部に二酸化炭素ガスが注入されていることを特徴とする。
【００１９】
従って、上記二酸化炭素ガスによって吸殻への酸素の供給が遮断される。
【００２０】
また、請求項１０に記載された考案にあっては、上記吸殻回収箱本体の一方の幅方向側面板部には、透明樹脂製の窓部が設けられていることを特徴とする。
【００２１】
従って、上記窓部から吸殻回収箱の内部を目視により確認することができる。
【考案の効果】
【００２２】
請求項１記載の考案にあっては、遊技機の前面下部に、上記遊技機の幅方向に沿って設けられたテーブルの上面部に、上記テーブルの長さ方向に沿って所定間隔をもって配設された灰皿と、上記テーブルの下面部に、上記テーブルの長さ方向に沿って配設され、上記灰皿に設けられた孔部から落下する吸殻を搬送しうる、筒状に形成された吸殻搬送部と、上記吸殻搬送部によって搬送された吸殻を回収する、着脱可能に配設された吸殻回収箱とを有する吸殻回収装置であって、上記吸殻回収箱内には、内方へ互いに突出する複数の煙遮断用板部が高さ方向に沿って交互に設けられていることから、回収された吸殻から発生する煙が遮断され、臭いが外部に漏れ出すことがない。
また、上記煙遮断用板部によって、外気流入路が複雑になることで、内部に外気が流入し難くなり、更に吸殻から発生する二酸化炭素が上記吸殻回収箱の底部に滞留して酸素供給が遮断されるため、消火用の水を注入しておかなくても、吸殻が速やかに消火される。
更に、水を用いないことで、溜められた吸殻を廃棄する場合の重量が小さくなり、吸殻回収箱の持ち運びが容易となる。
また、水に煙草が溶け出すことが無いため、箱内部の清掃が容易となり、かつ悪臭の発生も防止される。
【００２３】
また、請求項２記載の考案にあっては、上記吸殻回収箱は、所定の高さ寸法を有して全体略直方体に形成された回収箱本体と、上記回収箱本体の内方上半部に着脱可能に内装される煙遮断部とを備え、上記煙遮断部は全体略直方体形状に形成され、長さ方向側面板部と幅方向側面板部とを有し、上記煙遮断用板部は、上記一方の幅方向側面板部から対向する他方の幅方向側面部へ向かって突出して配設されていることから、請求項１の考案の効果に加え、上記煙遮断用板部が容易に取り外し可能であり、回収された吸殻の廃棄作業が、より簡易、かつ迅速に行うことが可能となる。
また、請求項３記載の考案にあっては、上記煙遮断板部は、上記煙遮断部の幅方向側面板部の長さ寸法と同一の長さ寸法を有していることから、請求項２の考案の効果に比べ、吸殻回収箱内部で発生する煙をより効果的に遮断することができ、悪臭の発生を防止することができる。
また、外気と遮断されることで、消火されていない吸殻が廃棄された場合であっても、速やかに消火されて火災の発生を防止することができる。
【００２４】
また、請求項４〜８記載の考案にあっては、上記煙遮断板部は、幅方向側面板部に対して所定角度下方へ向かって配設されていることから、上記煙遮断用板部上に吸殻がたまらずに速やかに落下するため、煙や臭いの発生をより効果的に遮断することができる。
特に、請求項５〜７記載の考案にあっては、上記煙遮断用板部は、長さ方向断面において上方もしくは下方に向かって膨出する円弧状に湾曲して形成されていることから、上記煙用遮断板部表面を吸殻が滑りやすく、吸殻がより速やかに落下して、迅速に煙と悪臭を遮断することができる。
【００２５】
また、請求項９記載された考案にあっては、上記吸殻回収箱の内部に二酸化炭素ガスが注入されていることから、落下した吸殻に対する酸素の遮断が遮断されることで吸殻が確実に消火されるため、煙や臭いの発生を迅速に防止すると共に、火災発生をより効果的に防止することができる。
【００２６】
また、請求項１０に記載された考案にあっては、上記回収箱本体の一方の幅方向側面板部には、透明樹脂製の窓部が設けられていることから、回収箱本体の内部を視認して、煙の発生状況等を把握できるため、火災発生を防止できる。
また、吸殻廃棄前に消火確認が可能であるため、廃棄作業時の安全性を向上させることができる。
【考案を実施するための最良の形態】
【００２７】
以下、図面に基づき本考案の実施の形態について説明する。
図１に示すとおり、本考案の吸殻回収装置１０は、遊技機１１の前面下部に、上記遊技機１１の幅方向に沿って設けられたテーブル１２の上面部に、上記テーブルの長さ方向に沿って所定間隔をもって配設された灰皿１２ａと、上記テーブル１２の下面部に、上記テーブル１２の長さ方向に沿って配設され、上記灰皿１２ａ内部に設けられた孔部（図示せず）から落下する吸殻を搬送しうる、筒状に形成された吸殻搬送部１３と、上記吸殻搬送部１３によって搬送された吸殻を回収する、着脱可能に配設された吸殻回収箱１４とを有する。
上記吸殻回収箱１４は、図２に示すとおり、所定の高さ寸法を有して全体略直方体に形成された回収箱本体１４ａと、上記回収箱本体１４ａの内方上半部に着脱可能に内装される煙遮断部１５とを備え、上記煙遮断部１５は全体略直方体形状に形成され、長さ方向側面板部１６と幅方向側面板部１７とを有している。
また、上記回収箱本体１４ａの一方の幅方向側面板部１４ｂの上半部には、透明樹脂板２１で形成された窓部２２が設けられている。
また、図３に示すとおり、上記一方の幅方向側面板部１７ａから対向する他方の幅方向側面部１７ｂへ向かって、２枚の煙遮断用板部１８ａ、１８ｃが突出して配設されるとともに、高さ方向において、上記煙遮断用板部１８ａ，１８ｃの中間位置において、上記他方の幅方向側面板部１６ｂから対向する上記一方の側面板部１６ａに向かって１枚の煙遮断用板部１８ｂが突出して配設されている。
上記煙遮断板部１８ａ、１８ｂ、１８ｃは、上記煙遮断部１５の幅方向側面板部１７の長さ寸法と同一の長さ寸法を有している。
また、上記煙遮断板部１８ａ、１８ｂ，１８ｃは、それぞれ幅方向側面板部１７ａ、１７ｂに対して所定角度下方へ向かって配設されている。
また、回収箱本体１４ａの内部の底部２０には、二酸化炭素ガス１９が注入されている。
【実施例１】
【００２８】
上記形態における、本考案に係る吸殻回収装置の実施例について図面を用いて説明する。
図１に示す通り、本考案に係る吸殻回収装置１０の吸殻回収箱１４は、遊技台１１で構成されたしまの幅方向一端に設けられ、吸殻搬送部１３で運ばれた吸殻を溜留する構成となっている。
上記吸殻回収箱１４は、図２、図３に示すとおり、回収箱本体１４ａの上方から、上記回収箱本体１４の長さ方向及び幅方向の内寸と略同一寸法を有する、略直方体に形成された煙遮断部１５が挿入されて、上記回収箱本体１４ａの上半部内方に嵌合されている。
以下に、上記構成における作用について説明する。
吸殻搬送部１３によって搬送された吸殻（図示せず）は、図３に示すとおり、矢印Ａの方向から、吸殻回収箱１４に落下する。
吸殻は、煙遮断用板部１８ａの表面を滑り落ち、煙遮断用板部１８ｂ、１８ｃの表面を順次滑り落ち、二酸化炭素ガス１９で満たされた、上記回収箱本体１４の底部２０に落下する。
上記二酸化炭素ガス１９は、上記窓部２２の高さ方向上端部に設けられた小孔２３よりスプレー等（図示せず）の手段を用いて注入される。
なお、上記小孔２３の裏面には、上記吸殻回収箱１４内部から煙や臭気が漏れないため、板バネ等で構成された蓋部２４が設けられている。
注入された二酸化炭素は、空気より比重が大きいことから外部に放出されることなく、常に回収箱底部２０付近に滞留している。
このため吸殻の火が消火されていなくても、吸殻が上記回収箱１４の本体底部２０に落下すると、吸殻の周囲が二酸化炭素ガス１９で満たされ、吸殻への酸素の供給が遮断され、吸殻の燃焼は速やかに停止して消火される。
また、消火前に吸殻から煙が発生した場合であっても、図３に示すとおり、煙が外部に放出されるためには、流路が矢印Ａに示すとおり複雑な略Ｓ字形状を通る必要があるため、外部に漏出される前に上記煙遮断用板部１８ａ〜１８ｃによって遮断される。
このため、煙や煙に起因する悪臭が外部に漏れ出すことが防止される。
また、水を用いることなく、吸殻が速やかに消火されることから、火災の危険性がないと共に、溜まった吸殻を捨てる場合であっても、重くならず、かつ煙草が水に溶け出すことで発生する悪臭も防止され、内部の清掃も容易となる。
更に、上記煙遮断部１５が着脱可能であることから、上記煙遮断部１５を外すことで、内部の吸殻が廃棄し易くなる。
また、窓部２２から上記回収箱１４の内部を視認できるため、煙の発生状況等を把握することで、火災発生の防止が可能である。
また、吸殻廃棄前に消火確認が可能であるため、廃棄作業時の安全性を向上させることができる。
【実施例２】
【００２９】
本考案における他の実施例について以下説明する。
図４に示すとおり、煙遮断部１５の煙遮断用板部１８ｄ、１８ｅ、１８ｆの形状を、長さ方向断面において円弧状に湾曲させて形成することもできる。
本実施例においては、最上位の煙遮断用板部１８ｄは長さ方向断面において上方に向かって膨出する円弧状に湾曲して形成され、その他の煙遮断用板部１８ｂ、１８ｃは長さ方向断面において下方に向かって湾曲して形成されている。
吸殻搬送部１３によって搬送された吸殻は、図４に示すとおり、矢印Ｂの方向から、吸殻回収箱１４に落下する。
吸殻は、煙遮断用板部１８ｄの表面を滑り落ち、煙遮断用板部１８ｅ、１８ｆの表面を経由し、上記回収箱本体１４の底部２０に落下するが、この際、煙遮断用板部１８ｄ、１８ｅ、１８ｆの表面が曲面となっているため、実施例１と比較して、よりスムーズに吸殻が落下する。
従って、実施例１の効果に加え、煙遮断用板部１８ｄ、１８ｅ、１８ｆ上に吸殻がより滞留しにくくなるという効果を呈する。
【００３０】
なお、実施例１、２においては煙遮断用板部を３枚配設した構成としているが、複数枚の範囲で、本枚数を自由に増減させてもよい。
また、上記煙遮断用板部の下方に向かっての傾斜角度についても、自由に変更することが可能である。
また、二酸化炭素は、ハンディータイプのスプレーによって直接注入する他、別途供給用配管等を設けて注入しても良い。
更に、上記実施例２においては、最上部の煙遮断用板部を長さ方向断面において上方に向かって膨出した円弧状に湾曲して形成し、その他の煙遮断用板部を長さ方向断面において下方に向かって膨出した円弧状に湾曲して形成したが、湾曲方向の組み合わせは任意であり、変更しても同様の作用効果を得ることができる。
また、吸殻回収箱に吸殻を搬送するための搬送手段については、灰皿に廃棄された吸殻を速やかに上記吸殻回収箱に搬送できる手段であれば、任意の手段、例えば、回転するベルト若しくはチェーンに廃棄吸殻を載せて搬送する方法、若しくは螺旋部材を回転させて搬送する方法等を自由に選択することができる。
【産業上の利用可能性】
【００３１】
本考案は、広く遊技機の吸殻回収装置に適用することができる。
【図面の簡単な説明】
【００３２】
【図１】本考案に係る吸殻回収装置の一実施の形態、及び従来の吸殻回収装置形態を示し、島として構成した遊技機に吸殻回収装置を装着した状態を表す全体正面図である。
【図２】本考案に係る吸殻回収装置の一実施の形態を示し、実施の形態に係る吸殻回収装置の吸殻回収箱の分解斜視図である。
【図３】本考案に係る吸殻回収装置の一実施の形態を示し、実施の形態に係る吸殻回収装置の吸殻回収箱の側方断面図である。
【図４】本考案に係る吸殻回収装置の他の実施の形態を示し、他の実施の形態における、吸殻回収装置の吸殻回収はこの側方断面図である。
【図５】従来の吸殻回収装置の吸殻回収箱の高さ方向断面図である。
【符号の説明】
【００３３】
１０  遊技機の島
１１  遊技機
１２  テーブル
１２ａ灰皿
１３  吸殻搬送部
１４  吸殻回収箱
１４ａ回収箱本体
１４ｂ回収箱本体１４ａの一方の幅方向側面板部
１５  煙遮断部
１６  煙遮断部の長さ方向側面板部
１７  煙遮断部の幅方向側面板部
１７ａ煙遮断部の一方側幅方向側面板部
１７ｂ煙遮断部の他方側幅方向側面板部
１８ａ煙遮断用板部
１８ｂ煙遮断用板部
１８ｃ煙遮断用板部
１８ｄ煙遮断用板部
１８ｅ煙遮断用板部
１８ｆ煙遮断用板部
１９  二酸化炭素ガス
２０  回収箱本体底部
２１  透明樹脂版
２２  窓部
２３  小孔
２４  蓋部
７０  吸殻回収箱
７１  水
【図１】
0003140283.tif 000003
【図２】
0003140283.tif 000004
【図３】
0003140283.tif 000005
【図４】
0003140283.tif 000006
【図５】
0003140283.tif 000007